(57)【要約】【課題】収納時には手軽に折りたたみ、使用時には拡げて使用できる三角まくら付きマットを提供すること。【解決手段】内部に柔軟なクッション材を有する折りたたみできる長方形のマットの短辺の一端に、内部に柔軟なクッション材を有する三角柱形のまくらの一角を連結した三角まくら付きマットであり、更には三角まくらとマットを自在に脱着できることを特徴とする。【選択図】図１
0003168353.tif 000002
【実用新案登録請求の範囲】
【請求項１】
内部に柔軟なクッション材を有する折りたたみできる長方形のマットの短辺の一端に内部に柔軟なクッション材を有する三角柱形のまくらの一角を連結した三角まくら付きマット。
【請求項２】
内部に柔軟なクッション材を有する折りたたみできる長方形のマットの短辺の一端と、内部に柔軟なクッション材を有する三角柱形のまくらの一角とを、着脱自在とした請求項１の三角まくら付きマット。
【請求項３】
長方形のマット内部と三角まくらの内部の両方、又は、長方形のマット内部あるいは三角まくらの内部のいずれか一方に、柔軟なクッション材として、低反発フォームを使用した請求項１または請求項２のいずれかの三角まくら付きマット。
【請求項４】
長方形のマット内部と三角まくらの内部の両方、又は、長方形のマット内部あるいは三角まくらの内部のいずれか一方に、柔軟なクッション材として、ビーズを使用した請求項１または請求項２のいずれかの三角まくら付きマット。
【考案の詳細な説明】
【技術分野】
【０００１】
本考案は、収納時にはマットを折りたたみ、使用時には、このマットを拡げて使用する三角まくら付きマットに関する。
【背景技術】
【０００２】
一寸仮眠を取りたかったり、横になってテレビを見たい場合に、床や畳の上に直接横になるのは、やや違和感がある。かといって、常に布団を敷いておくことは、場所も取り不衛生でもある。そこで、本考案者は、収納時にはマット部を折りたたんで小さくして保管し、使用時には、このマットを拡げ、横になる長さにするまくら付きのマットを考案した。特に、まくらは、まくらの機能だけでなく低い背もたれの機能としても使用できる三角柱の形状とし、長方形のマットの短辺の一端に連結することとした。
【０００３】
まくら付きマットの先行技術としては、横長な長座布団の一側にまくらとして兼用可能な巾狭なマット部を連設し、マット部を長座布団の表面側に折り重ねれば長座布団上にまくらとなるマット部が高く形成されまくら付き長座布団として使用できる折畳型長座布団（特許文献１）、防災敷きマットの芯材を分割して複数の袋状に縫製することにより、ジャバラ上に折りたためるようにし、上記の芯材を人間の身長よりやや長めにとり、折りたたむことによりまくらになるようにしたまくら付き防災敷きマット（特許文献２）、長方形薄マット、ほぼ直角３角形マット及びほぼ２等辺３角形マットを１枚の畳表４で表裏接続し、かつ上記畳表の藺草による緯条が上記マットの幅Ｗ方向に織成され、その両端部表裏面を縁布８折返して均等幅に被覆し、該縁布の内側端を緯条と直角方向に表裏縫着し、かつ該縁布の折返部外側端と上記各マットの側端面被覆布の縁部とを重合して、該重合部を上記緯条の外端部と共に緯条と直角方向に表裏縫着してなる三つ折りまくら（特許文献３）等がある。
【先行技術文献】
【特許文献】
【０００４】
【特許文献１】実用新案登録第３０１００２６号
【特許文献２】実用新案登録第３０７８３１９号
【特許文献３】特許公開２００８−２９３９０号公報
【考案の概要】
【考案が解決しようとする課題】
【０００５】
本考案は、上記の先行技術とは異なり、マットを折りたたんで収納し、マットを拡げて使用し、まくらと背もたれを兼用する三角まくらをそのマットの短辺に付け、手軽にその上に横になることができる三角まくら付きマットを提供するものである。
【課題を解決するための手段】
【０００６】
すなわち、第１の考案は、内部に柔軟なクッション材を有する折りたたみできる長方形のマットの短辺の一端に、内部に柔軟なクッション材を有する三角柱形のまくらの一角を連結した三角まくら付きマットである。
【０００７】
柔軟なクッション材とは、綿、スポンジ、発泡ウレタン等があるが、これらに限るものではない。折りたたみできる長方形のマットは、柔軟なクッション材を入れた平らな袋の縁布を互いに縫製し、その縁布で折りたたみできるようにしたもの、あるいは柔軟なクッション材に切り欠き部を入れ、そこで折りたたみできるようにしたもの等があるが、これらに限定されるものではなく、手軽に折りたためることができる構造であればよい。この折りたたみできるマットは、その上に人が横になれる程度の大きさであり、長方形となる。なお、長方形のマットとせず単にマットという場合もある。
【０００８】
三角柱形のまくらといっても、内部に柔軟なクッション材が入っていて、その断面は正確な三角形ではなく、各角は円みをおびている。この三角柱形のまくらを三角まくらとする。三角まくらの一角と長方形のマットの短辺の一端とを連結して三角まくら付きマットとするものである。三角まくらの一角の辺に付けた縁布と長方形のマットの一端に付けた縁布と縫製して三角まくら付きマットとすることができるが、この方法に限られるものではなく、三角まくらと長方形のマットとの連結方法は問わない。三角柱形のまくら内部の柔軟なクッション材と長方形のマットの内部のクッション材とは、その材料が同じである必要はなく、例えば三角形のまくらには、スポンジを用い、長方形のマットには発泡ウレタンを用いることができる。クッション材は三角まくら、マットに使用するものだけでなく、後述する円柱袋のクッション材も含まれる。
【０００９】
続いて第２の考案は、内部に柔軟なクッション材を有する折りたたみできる長方形のマットの短辺の一端と内部に柔軟なクッション材を有する三角柱形のまくらの一角とを着脱自在とした第１考案の三角まくら付きマットである。
【００１０】
長方形のマット及び三角まくらは、それぞれ独自に使用する場合もある。そこで、長方形のマットと三角まくらを連結することなく着脱自在とし、必要に応じてこれらを連結して使用するためである。長方形のマットと三角まくらの着脱方法としては、ファスナーによる方法、貼り付けテープによる方法等があるが、その方法は問わない。
【００１１】
続いて、第３の考案は、長方形のマット内部と三角まくらの内部の両方、又は、長方形のマット内部あるいは三角まくらの内部のいずれか一方に柔軟なクッション材として、低反発フォームを使用した第１考案または第２考案のいずれかの三角まくら付きマットである。
【００１２】
柔軟なクッション材として低反発フォームを使用するものである。低反発フォームとは、軟質ウレタンフォームともいわれ、特殊な分子構造に設計され、気泡が連通し、圧縮したのちに外力を取り除いた際、ゆっくりと元に戻る性質があり、局部的な圧迫が少ないため、まくらや寝具に使用される。この低反発フォームも、一般的なウレタンフォームと同様に、ポリオールとポリイソシアネ―トを主成分として発泡剤、整泡剤、触媒等を撹拌混合して発泡するものであり、最近注目されている材料である。
【００１３】
続いて、第４の考案は、長方形のマット内部と三角まくらの内部の両方、又は、長方形のマット内部あるいは三角まくらの内部のいずれか一方に柔軟なクッション材として、ビーズを使用した第１考案または第２考案のいずれかの三角まくら付きマットである。
【００１４】
柔軟なクッション材としてビーズを使用するものである。ビーズは総称であり、大きさにより、粒状ビーズ、マイクロビーズ、パウダービーズ等があり、まくら等によく使用される。粒状ビーズの一例を図６に示す。
【考案の効果】
【００１５】
第１考案は、マットを折りたたんで収納し、マットを拡げて使用し、まくらと背もたれを兼用する三角まくらの一角をそのマットの短辺に付け、手軽にその上に横になることができるものである。第２考案はマットと三角まくらとマットを着脱自在として、マット及び三角まくらを分離して使用することができる。第３考案と第４考案は、マットと三角まくらに入れる柔軟なクッション材を限定してより心地よく使用することができる。
【図面の簡単な説明】
【００１６】
【図１】図１は、三角まくら付きマットの概略図である。
【図２】図２は、三角まくらの内部の構造図である。
【図３】図３は、マットの内部の構造図である。
【図４】図４は、試作品のマットを折りたたんだ時の側面図と斜視図である。
【図５】図５は、試作品のマットを拡げた時の側面図と斜視図である。
【図６】図６は粒状ビーズの一例図である。
【考案を実施するための形態】
【００１７】
本考案の実施例を以下に示す。
【実施例１】
【００１８】
図１は、本考案の概略図であり、（１）が使用時の側面図（２）が使用時の平面図であり、（３）は、マットを折りたたんだ時の側面図である。三角まくら２は、三角柱形の三角まくらの袋２１の中に三角まくらのクッション材を入れて構成されている。この三角まくら２の一角に三角まくら袋の縁布２３が付けられている。
マット３は、クッション材３２を入れたマットの袋３１にマット袋の縁布３３が付けられている。クッション材３２をいれた３個のマットの袋３１をマット袋の縁布３３を縫製することにより一体となってマット３が構成されている。
クッション材２２をいれた三角まくらの縁布２３とクッション材３２をいれたマット袋３１の縁布３３とを縫製することによりマット３と三角まくら２が連結され三角まくら付きマット１が構成される。
【００１９】
図２は三角まくらの内部構造図である。（１）は円柱袋４と円柱袋のクッション材４１であり、（２）は、クッション材が詰め込まれた円柱袋４を積み重ねた図である。（３）は積み重ねた円柱袋４を三角まくらの袋２１に入れて、三角まくら２としたものである。
三角まくら２は、マットの幅（短辺）と同じ長さがあり、柔軟なクッション材を詰め込んだ三角まくらは変形する恐れがある。そこで、円柱袋４に円柱袋のクッション材４１を詰め込み、このクッション材が詰め込まれた円柱袋４を（２）のように重ねて三角まくら袋２１に入れ三角まくらとすることにより、三角まくら２の形状が安定化される。三角まくら２の一角には、三角まくらの縁布２３が付けられている。
【００２０】
図３は、マットの内部構造図である。三角まくら２と同様に、柔軟なクッション材を詰め込んだマットは変形する恐れがある。そこで、円柱袋４に円柱袋のクッション材４１を詰め込み、このクッション材が詰め込まれた円柱袋４を（２）のように重ねてマット袋３１に入れマット３とすることによって、マットの形状が安定される。マットには、マットの縁布３３が付けられている。
【実施例２】
【００２１】
図４は、試作品の三角まくら付きマット１を折りたたんだ時の（１）側面図と（２）斜視図である。マット３は、３つのマット袋３１の縁布３３を縫製することにより連結され長方形ノマットを形成している。マット袋３１には、クッション材の入った円柱袋４が重ねて入っている。また、三角まくら２は、クッション材が入った円柱袋４を重ねて三角まくら袋２１に入れて形成されている。マット３と三角まくら２はそれぞれの縁布により縫製させ連結されている。この試作品のクッション材としては、マット、三角まくら共に敷き布団用の綿を使用した。
【００２２】
図５は、試作品の三角まくら３のマットを拡げた時の（１）側面図と（２）斜視図である。仕様は上記と同じである。
また、図６は、粒状ビーズの一例である。
【産業上の利用可能性】
【００２３】
本考案による三角まくら付きマットは、手軽に収納時には折りたたみ、使用時には拡げることができ、また意匠的にも優れており需要が期待される。
【符号の説明】
【００２４】
１  三角まくら付きマット
２  三角まくら  ２１  三角まくら袋  ２２  三角まくらのクッション材  ２３  三角まくら袋の縁布
３  マット    ３１  マット袋    ３２  マットのクッション材    ３３  マット袋の縁布
４  円柱袋  ４１  円柱袋のクッション材
５  粒状ビーズ
【図２】
0003168353.tif 000003
【図３】
0003168353.tif 000004
【図４】
0003168353.tif 000005
【図５】
0003168353.tif 000006
【図６】
0003168353.tif 000007
【図１】
0003168353.tif 000008